(57)【要約】【課題】  トリガーを反復作動させる噴霧操作時に、親指と人差し指の間の皮膜部分に当接するカバー後半部の壁面下端に鍔を設けることにより、カバー下端の皮膜への喰い込みを防止して、使用感が優れるとともに補強効果も得られ、しかも生産性も変わらずに製品化ができるようにしたトリガー噴霧装置用カバー体を提供すること。【解決手段】  噴霧ノズルとポンプ機構とを具えたトリガー式噴霧装置用のカバー体であって、カバー体は、ポンプ機構に取付ける取付部とポンプ機構全体を覆う殻形状のカバーとからなり、カバー後半部の周壁下端の少なくとも一部に鍔が設けられていることを特徴とする。【選択図】  図１
2005238132.tif 000002
【特許請求の範囲】
【請求項１】
噴霧ノズルとポンプ機構とを具えたトリガー式噴霧装置用のカバー体であって、
カバー体は、ポンプ機構に取付ける取付部とポンプ機構全体を覆う殻形状のカバーとからなり、
カバー後半部の周壁下端の少なくとも一部に鍔が設けられていることを特徴とするトリガー式噴霧装置用カバー体。
【請求項２】
左右側壁に設けられた鍔の突出端間の距離が、カバーの横方向最大巾を超えないように設けられていることを特徴とする請求項１記載のトリガー式噴霧装置用カバー体。
【発明の詳細な説明】
【技術分野】
【０００１】
本発明は、トリガー式噴霧装置用カバー体に関するものである。
【背景技術】
【０００２】
洗剤、消臭剤、クリーナー、洗濯糊等の家庭用品のトリガー式噴霧装置用カバー体において、ポンプ機構を覆うカバー体のカバー後半部が下方に開いているものは、従来から知られており（特許文献１参照）、また噴霧操作時に、操作者の手に当るカバー体のカバー後半部下方を全面的に覆う壁面を設けたものも、従来から知られている（特許文献２参照）。
【特許文献１】特公昭５６−１７９４４号公報
【特許文献２】特開２００２−１０２７５６号公報
【発明の開示】
【発明が解決しようとする課題】
【０００３】
近年、市販のトリガー式噴霧容器は大型化しており、上記特許文献１記載のカバー体を始め、従来公知のカバー体でカバー体後半部の下方が開放されている場合には、噴霧操作時に、カバー体のカバー後半部の周壁下端が操作者の親指と人差し指の間の皮膜部分に喰いこんで、違和感を与えたり、痛みを与えるという問題があった。
【０００４】
上記特許文献２記載の技術は、上記問題を解決するものであるが、カバー体のカバー後半部下方を全面的に壁面で覆うようにしているので、成形にあたって金型が高額になること、構造が複雑で生産性が下がること、材料の使用量が増えること等により、コストアップになるという問題があった。
【０００５】
本発明は、上記問題を解決することを課題として、トリガーを反復作動させる噴霧操作時に、親指と人差し指の間の皮膜部分に当接するカバー後半部の壁面下端に鍔を設けることにより、カバー下端の皮膜への喰い込みを防止して、使用感が優れるとともに補強効果も得られ、しかも生産性も変わらずに製品化ができるようにしたトリガー噴霧装置用カバー体を提供することを目的とする。
【課題を解決するための手段】
【０００６】
本発明は、上記の課題を解決するため、トリガー式噴霧装置用カバー体として、
噴霧ノズルとポンプ機構とを具えたトリガー式噴霧装置用のカバー体であって、カバー体は、ポンプ機構に取付ける取付部とポンプ機構全体を覆う殻形状のカバーとからなり、カバー後半部の周壁下端の少なくとも一部に鍔が設けられていることを特徴とする構成を採用する。
【０００７】
左右の鍔の距離として、左右側壁に設けられた鍔の突出端間の距離が、カバーの横方向最大巾を超えないように設けられていることを特徴とする構成を採用する。
【発明の効果】
【０００８】
本発明のトリガー式噴霧装置用カバー体は、トリガーを反復作動させる噴霧操作時に、親指と人差し指の間の皮膜部分に当接するカバー後半部の壁面下端に鍔を設けたことにより、大型化した容器に用いても指間の皮膜への喰い込みが防止でき、使用感が優れ、しかも補強効果も得られる。
また、鍔の位置をカバー横方向の最大巾を超えないようにしたので、鍔の有無にかかわらず、同一の搬送ラインを用いて製品化できるようになった。
【発明を実施するための最良の形態】
【０００９】
次に、本発明のトリガー噴霧装置用カバー体について説明する。
本噴霧装置は、内容物として、洗剤、消臭剤、クリーナー、洗濯糊等の家庭用品等が収納されるもので、以下実施例をあげて説明する。
【実施例１】
【００１０】
図１〜３に示すように、本発明のトリガー噴霧装置は、噴霧ノズル１とポンプ機構２とトリガー３、取付キャップ４とディップ管５とからなり、該トリガー噴霧装置にはカバー体６が被嵌されている。
【００１１】
カバー体６は、ポンプ機構２に取付ける取付部７とポンプ機構２全体を覆う殻形状のカバー８とから形成されている。
【００１２】
カバー８は、噴霧ノズル１とポンプ機構２を覆う前半部と、取付部７より後方に延びるカバー後半部９とからなっており、左右の側壁１０ａ、１０ｂと覆壁１１とを具えている。
カバー後半部９は、その周壁下端が操作者の親指と人差し指の皮膜上に当接するようになっており、周壁内は空洞となっている。
【００１３】
カバー後半部９の左右の側壁１０ａ、１０ｂの下端には、鍔１２が突設されている。
鍔１２の右側壁１０ａにおける突出端と、左側壁１０ｂにおける突出端との距離は、カバー８の横方向の最大巾より広がらないようになっており、中央部は最大巾を有する部分であってその近くには、鍔１２は形成されていない。
鍔１２下面の内端と外端には円弧が付けられており、鍔１２の肉厚は、カバー８の側壁の肉厚とほぼ同一の肉厚に形成されている。  
【００１４】
使用にあたっては、トリガーを反復作動させ内容液を噴霧する時に、親指と人差し指の間の皮膜部に鍔が当接し喰い込むことがないので、大型となったトリガー噴霧装置を連続して噴霧操作をしても、皮膜部が痛くなることがない。
【００１５】
また、鍔１２の肉厚を、カバーの肉厚とほぼ同じ肉厚に形成しているので、成形性に優れ、ひけ等が発生せず外観がきわめて美麗となる。
【００１６】
左右の鍔１２の突出端の距離を、カバー８の横方向の最大巾を超えないように設けたことにより、従来から使用している部品搬送システム等のラインを変更することなく、使用可能となり、さらに鍔の有無にかかわらず、同一の搬送ラインを用いて製品化できるので、生産性も変わらず、生産コストの上昇につながらない等の効果が得られるようになった。
【実施例２】
【００１７】
次に第２実施例について説明する。
本実施例は、カバー後半部の側壁とともに覆壁下端に鍔を設けたもので、図４に示すように、カバー後半部９の側壁１０ａ、１０b下端には、第１実施例と同形状の鍔１３が設けられており、鍔１３に連続して覆壁１１下端には、鍔１４が突設されている。
【００１８】
鍔１４を設けたことによって、鍔１３とともに、皮膜部への当接面は広がり、違和感や痛みはすくなくなり、他にも第１実施例と同様の作用効果を得ることができる。
【００１９】
次に、他の変形実施例について説明する。
前記各実施例では、鍔１２、または鍔１３、１４を外方に突設したが、鍔１２、または鍔１３、１４をカバー後半部下端から内方に突出してもよく、前記各実施例と同様の作用効果を得ることができる。
【００２０】
また、鍔１２、または鍔１３、鍔１４の突出面の下面を上方に湾曲させ、Ｕ字状になるように形成してもよい。
鍔１２、または鍔１３、１４をＵ字状としたことにより、親指と人差し指の間の皮膜部分に喰い込むことがなくなり、皮膜との接触も一層ゆるくなる。
さらに、カバーの補強効果も得られる。
【００２１】
前記実施例では、噴霧装置を覆うカバー体として、特定の形状を有するものを示したが、カバー後半部が開かれ、周壁下端が操作者の親指と人差し指の皮膜上に当接するものであれば、カバー体全体の形状、噴霧装置への被せ方、取付構造などは、いかなるものであってもよく、本発明の形状に特定されない。
【産業上の利用可能性】
【００２２】
トリガーポンプ機構用カバー体のカバー後半部の壁面下端に鍔を設けたので、洗剤、消臭剤、クリーナー、洗濯糊等の家庭用品等が収納される大容量の容器にも利用できる。
【図面の簡単な説明】
【００２３】
【図１】本発明第１実施例のカバー体を被嵌したトリガー式噴霧装置の一部断面立面図である。
【図２】トリガー式噴霧装置の一部断面背面図である。
【図３】カバー体のカバー後半部を示した一部下面図である。
【図４】第２実施例のカバー体のカバー後半部を示した一部下面図である。
【符号の説明】
【００２４】
１    噴霧ノズル
２    ポンプ機構
３    トリガー
４    取付キャップ
５    ディップ管
６    カバー体
７    取付部
８    カバー
９    カバー後半部
１０ａ，ｂ  側壁
１１        覆壁
１２、１３、１４  鍔
【図１】
2005238132.tif 000003
【図２】
2005238132.tif 000004
【図３】
2005238132.tif 000005
【図４】
2005238132.tif 000006